(57)【要約】    【課題】耳カップの形状を変更可能とすることにより、着用者の耳の形状にフィットするように変形できるようなイヤーウォーマーを提供する。    【解決手段】２つの耳カップ（２）と、この２つの耳カップをつなぐバンド（３）からなる骨格を表面生地（１０）で覆ってなるイヤーウォーマー（１）である。前記耳カップ（２）は耳の上下にそれぞれ位置する２本の上下アーム（４，５）に分断されており、この２本のアームの相対的な位置が変更可能である。【選択図】図３
2008272142.tif 000002
【特許請求の範囲】
【請求項１】
２つの耳カップ（２，２Ａ，２Ｂ，２Ｃ，２Ｄ，２Ｅ，２Ｆ，２Ｇ）と、この２つの耳カップをつなぐバンド（３，３Ａ，３Ｂ，３Ｃ，３Ｄ，３Ｅ，３Ｆ，３Ｇ）からなる骨格を表面生地（１０）で覆ってなるイヤーウォーマー（１）であって、
前記耳カップ（２，２Ａ，２Ｂ，２Ｃ，２Ｄ，２Ｅ，２Ｆ，２Ｇ）が耳の上下にそれぞれ位置する上下アーム（４，４Ａ，４Ｂ，４Ｃ，４Ｄ，５７，５７Ｆ，４Ｆ，４Ｇ；５，５Ａ，５Ｂ，５Ｃ，５１Ｄ，５２Ｄ，５Ｅ，５Ｆ，５Ｇ）に分断されており、この上下アームの相対的な位置が変更可能であることを特徴とするイヤーウォーマー。
【請求項２】
前記上下アームは、２本とも可動部分（５Ｅ，５７；５Ｆ，５７Ｆ）からなるものである請求項１記載のイヤーウォーマー（２Ｅ，２Ｆ）。
【請求項３】
前記上下アームのうち１本は可動部分（５，５Ａ，５Ｂ，５Ｃ，５１Ｄ，５２Ｄ，５Ｆ，５Ｇ）で、残る１本がバンド（３，３Ａ，３Ｂ，３Ｃ，３Ｄ，３Ｅ，３Ｆ，３Ｇ）から一体的に伸びる半円状部分（４，４Ａ，４Ｂ，４Ｃ，４Ｄ，４Ｇ）である請求項１記載のイヤーウォーマー。
【請求項４】
前記上下アームの両方又は片方（５Ｆ）について、先端（５８）を屈曲可能とした請求項１ないし３の何れかに記載のイヤーウォーマー。
【請求項５】
前記上下アームの先端同士（４，４Ａ；５，５Ａ）が、スライド及び任意個所での連結が可能である請求項１ないし４の何れかに記載のイヤーウォーマー。
【請求項６】
前記上下アームの一方に長孔（６，６Ａ）を設け、他方にこの長孔に嵌り合う固定ピン（８，８Ａ）を設けた請求項１ないし５の何れかに記載のイヤーウォーマー。
【請求項７】
前記上下アームの一方に長孔（６Ｇ）を設け、他方に短孔（６０）を設け、これら長孔（６Ｇ）と短孔（６０）に貫通ピン（８Ｇ）を挿通させた請求項１ないし５の何れかに記載のイヤーウォーマー。
【請求項８】
前記上下アームの共通根元部（７Ｂ，７Ｃ，７Ｅ，７Ｆ，７Ｇ）において、位置決め及び決定位置の保持が可能な機構を設けた請求項１記載のイヤーウォーマー。
【請求項９】
位置決め及び決定位置の保持が可能な機構が、双方の歯車（３１，４１，５３））同士のかみ合わせである請求項８記載のイヤーウォーマー。
【請求項１０】
位置決め及び決定位置の保持が可能な機構が、一方の複数小突起（４２，４２Ｄ）と他方の複数窪み（５４，５４Ｄ，５６Ｄ）のかみ合わせである請求項８記載のイヤーウォーマー。
【請求項１１】
イヤーウォーマーの骨格を覆う表面生地（１０）は、骨格の上に位置する上生地（１１）と、下に位置する下生地（１２）と、その両者を外側からカバーする外縁生地（１３）を縫合したものである請求項１記載のイヤーウォーマー。
【発明の詳細な説明】
【技術分野】
【０００１】
本発明はイヤーウォーマーに関し、特に着用者の耳の形状にフィットする耳カップ部を有するイヤーウォーマーに関する。
【背景技術】
【０００２】
イヤーウォーマーはさまざまな構造のものが公知である。比較的によく知られた発明としては、下記特許文献１及びその分割出願群がある。これらの出願では、次のような部分の改良を目的としている。
【０００３】
・着用者の頭部を巡る特定曲率のバンド部分と直線状の耳カップの組合せにより、適度な押圧力を伴ってバンドが頭部に装着されるようにする。
・頭部を巡るバンド部分の長さを調節可能とする。
・耳カップ部を回転可能とすることにより不使用時に小さくたためるようにする。
・耳カップが回転可能であるが、使用時にバンドと耳カップが直線になるように双方に係合用の凹凸部を設ける。
【特許文献１】特許第３３５６９６７号
【発明の開示】
【発明が解決しようとする課題】
【０００４】
特許文献１を始めとする従来技術では、耳カップは単なるリング状又は楕円状であることが多い。しかし、人の耳はリング状又は楕円状ではないし、大きさや形も人により微妙に異なる。
【０００５】
本発明は、耳カップの形状を変更可能とすることにより、着用者一人一人の耳の形状にフィットするように変形できるようなイヤーウォーマーを提供することを目的とする。
【課題を解決するための手段】
【０００６】
本発明のイヤーウォーマーは、２つの耳カップと、この２つの耳カップをつなぐバンドからなる骨格を表面生地で覆ってなるイヤーウォーマーであって、前記耳カップが耳の上下にそれぞれ位置する２本の上下アームに分断されており、この２本のアームの相対的な位置が変更可能であることを特徴とする。
【発明の効果】
【０００７】
本発明は、耳カップが耳の上下にそれぞれ位置する上下アームにより形成されており、この上下アームの距離が変更可能であるので、使用者の耳の大きさにきめ細かくフィットさせることができる。
【発明を実施するための最良の形態】
【０００８】
上記上下アームは、２本とも可動部分からなるものとすることができる。また、２本のうち１本は可動部分で、残る１本をバンドから一体的に伸びる半円状部分とすることもできる。２本とも可動部分とすることにより、よりきめ細かく耳にフィットさせることができる。
【０００９】
さらに、上下アームの両方又は片方について、先端を屈曲可能とすることもできる。このように構成することにより、さらに耳の形状に近づけることができる。
【００１０】
上下アームの先端同士は、スライド及び任意個所での固定が可能とすることが好ましい。その目的で、一方に長孔を設け、他方にこの長孔に嵌り合う固定ピンを設けることができる。また、一方に長孔を設け、他方に短孔を設け、これら長孔と短孔に貫通ピンを挿通させてもよい。
【００１１】
別の構成では、上下アームの先端同士は固定する必要がないものとすることができる。そのためには、上下アームの共通根元部において、位置決め及び決定位置の保持が可能な機構を設けることが好ましい。
【００１２】
位置決め及び決定位置の保持が可能な機構としては、双方の歯車同士のかみ合わせとすることができる。別の機構では、一方の複数小突起と他方の複数窪みのかみ合わせとすることができる。
【００１３】
イヤーウォーマーの骨格を覆う表面生地は、骨格の上に位置する上生地と、下に位置する下生地と、その両者を外側からカバーする外縁生地を縫合したものとすることができる。
【実施例１】
【００１４】
以下、添付の図面に基づき本発明の実施例を説明する。
【００１５】
図１は、本発明の実施例１に係るイヤーウォーマー１を装着した状態を示す人物の側面図である。図２（ａ）（ｂ）は、イヤーウォーマーの骨格状態における耳カップ２のサイズ調整の２段階を示す正面図である。図３はその斜視図である。
【００１６】
図３に示すように、この耳カップ２は、バンド先端３から一体的に伸びる半円状部分４と、この半円状部分４に取り付けられた可動部分５に分断されている。
【００１７】
半円状部分４の先端には長孔６が設けられている。この長孔６は上下輪郭が波状であって、その結果、長孔の幅に大小がある。
【００１８】
可動部分５は、支点ピン７がバンド３と半円状部分４の交叉点にあり、他端に係合ピン８が設けられている。支点ピン７は、可動部分５の根元部の孔５０（図６参照）及び半円状部分４の孔４０（図６参照）を貫通する。固定係合ピン８は半円状部分４の長孔６と係合可能であり、長孔６の幅が大であるとき、その位置で安定する。図示しない変形例では、長孔を可動部分側に設け、固定係合ピンを半円状部分に設けることもできる。
【００１９】
この耳カップ２のサイズを変更するには、着用者の耳の大きさに合わせて可動部分５の位置を決定し、その位置にある半円状部分４の長孔６に対して、可動部分のピン８を移動させて固定する。
【実施例２】
【００２０】
図４は、実施例２を示す耳カップ２Ａの斜視図である。半円状部分４Ａは実施例１（図３）と同じであるが、可動部分５Ａを２本使用する点で実施例２（図３）とは異なる。これら２本の可動部分５１，５２の支点７Ａは、バンド３Ａと半円状部分４Ａの交叉点にある。他端には２本の可動部分５１，５２を相互に連結する固定係合ピン８Ａが設けられている。
【００２１】
この耳カップ２Ａのサイズを変更するには、着用者の耳の大きさに合わせて可動部分５Ａの位置を決定し、その位置にある半円状部分の長孔６Ａに対して、可動部分のピン８Ａを移動させて固定する。半円状部分４Ａの先端は、２本の可動部分５１，５２の間をスライドすることになる。実施例１に比べると強度が上がっている。
【実施例３】
【００２２】
図５、図６は、本発明の実施例３を示す耳カップ２Ｂの側面図と斜視図である。実施例１の耳カップとよく似ているが、バンド３Ｂから一体的に伸びる半円状部分４Ｂには長孔がないし、可動部分５Ｂ先端にはピンがない点で異なる。この例では、半円状部分４Ｂと可動部分５Ｂのバンド側接点にあるピン７Ｂは、位置決めと、決めた位置の保持が可能である。
【００２３】
図６に示すように、バンド先端３Ｂと半円状部分４Ｂの根元部３１，４１において歯車が形成されており、可動部分５Ｂ側の根元部５３においても歯車が形成されている。これらの歯車部分同士はかみ合い、一方の凸部と他方の凹部がかみ合ったとき、位置決めされ、かつその位置が保持される。
【００２４】
この実施例によれば、半円状部分に長孔を形成する必要がないし、サイズ調整は耳カップを両手で開いたり閉じたりすることで行われる。
【実施例４】
【００２５】
図７は、本発明の実施例４を示す耳カップ２Ｃの斜視図である。実施例３（図５、図６）とよく似ており、半円状部分４Ｃと可動部分５Ｃのバンド側接点における、位置決めと、決めた位置を保持する機構だけが異なる。
【００２６】
この実施例によると、図７に示すように、バンド先端３Ｃと半円状部分４Ｃの接点において複数の半球状小突起４２が形成されており、可動部分５Ｃ側の根元部５３Ｃにおいて複数の半球状の窪み５４が形成されている。これらの小突起４２と窪み５４同士がかみ合ったとき、位置決めされ、かつその位置が保持される。図示しない変形例では、小突起と窪みはそれぞれ逆に配置することもできる。
【実施例５】
【００２７】
図８は、本発明の実施例５を示す耳カップ２Ｄの斜視図（ａ）、完成前の断面図（ｂ）、完成後の断面図（ｃ）である。実施例４（図７）とよく似ており、半円状部分４Ｄと可動部分５Ｄのバンド側接点における、位置決めと、決めた位置を保持する機構だけが異なる。
【００２８】
この実施例によると、図８各図に示すように、半円状部分４Ｄの根元部において、この根元部４３Ｄを上下から挟むようにして、可動部分５１Ｄ，５２Ｄが２本設定されている。半円状部分の根元部４３Ｄの上下表面には複数の半球状小突起４２Ｄが形成されている。２本の可動部分５１Ｄ、５２Ｄ側の根元部５３Ｄ、５５Ｄには、係合表面側に複数の半球状の窪み５４Ｄ、５６Ｄが形成されている。これらの小突起４２Ｄと窪み５４Ｄ、５６Ｄ同士がかみ合ったとき、位置決めされ、かつその位置が保持される（図８（ｃ）参照）。
【実施例６】
【００２９】
図９は、本発明の実施例６を示す耳カップ２Ｅの側面図である。この実施例では、バンド３Ｅの先端から一体的に伸びる半円状部分がなく、２本の可動部分５Ｅ、５７が上下耳カップを構成している。その他の点の構成及び使用方法は実施例３（図５）のものとほぼ同様である。この実施例によれば、片側だけが可動部分となっている実施例３（図５）の構成よりも耳の形状にフィットさせやすい。
【実施例７】
【００３０】
図１０は、本発明の実施例７を示す耳カップの側面図である。図５（実施例３）の構成に加えて、第一可動部分５Ｆの先端にさらに第二可動部分５８を設けて二段階に変形可能としたものである。第一及び第二可動部分５Ｆ，５８の連結には、位置決め及び決定位置の保持が可能な機構５９による。位置決め及び決定位置の保持が可能な機構５９としては、実施例３（図６）、実施例（図７）及び実施例８（図８）で紹介した機構を使用することができる。この実施態様によれば、両側が可動部分となっている実施例３（図５）の構成よりもさらに耳の形状にフィットさせやすい。図示しないが、第二可動部分は他方の可動部分５７Ｆにも設けることができる。
【実施例８】
【００３１】
図１１及び１２は、本発明の実施例８を示す耳カップの斜視図である。実施例１〜７ではイヤーウォーマー１の耳カップ２の骨格だけを示したが、もちろん使用時には柔らかい生地１０で骨格は覆われる。
【００３２】
図１１に示すように、骨格は実施例１のものを使用している。この骨格の上下に上生地１１と下生地１２が当てられる。その後、外縁生地１３をあてがい、上下生地と共にて、糸で縫合される。図１２（ａ）（ｂ）は完成状態の表と裏であり、（ｃ）は断面図である。
【実施例９】
【００３３】
図１３は、本発明の実施例９を示す耳カップ２Ｇの斜視図である。実施例１（図２）と実施例３（図６）を組み合わせたような例である。
【００３４】
この耳カップ２Ｇは、バンド先端３Ｇから一体的に伸びる半円状部分４Ｇと、この半円状部分４Ｇに取り付けられた可動部分５Ｇからなる。
【００３５】
半円状部分４Ｇの先端には長孔６Ｇが設けられている。この長孔６Ｇは実施例１と異なり上下輪郭が波状ではなく、長孔の幅は一定である。可動部分５Ｇの先端には短孔６０が設けられている。長孔６Ｇと短孔６０は係合ピン８Ｇによりスライド可能な状態で結合される。ここで使用している係合ピン８Ｇは、取付前は２分割されているが、組み合わせるといわゆる地獄嵌めとなり、容易に分離はできないもので、それ自体公知である。
【００３６】
半円状部分４Ｇと可動部分５Ｇのバンド側接点にあるピン７Ｇは、位置決めと、決めた位置の保持が可能である。その機構は、実施例３（図６）実施例４（図７）及び実施例８（図８）で紹介した機構を使用することができる。図示のものは実施例３（図６）と同じである。
【図面の簡単な説明】
【００３７】
【図１】本発明の実施例１に係るイヤーウォーマーを装着した状態を示す側面図である。
【図２】（ａ）（ｂ）は、耳カップのサイズ調整の２段階を示す正面図である。
【図３】図２の斜視図である。
【図４】本発明の実施例２を示す耳カップ２Ａの側面図である。
【図５】本発明の実施例３を示す耳カップ２Ｂの側面図である。
【図６】本発明の実施例３を示す耳カップ２Ｂの斜視図である。
【図７】本発明の実施例４を示す耳カップ２Ｃの斜視図である。
【図８】本発明の実施例５を示す耳カップ２Ｄの斜視図（ａ）、完成前の断面図（ｂ）、完成後の断面図（ｃ）である。
【図９】本発明の実施例６を示す耳カップ２Ｅの側面図である。
【図１０】本発明の実施例７を示す耳カップ２Ｆの側面図である。
【図１１】本発明の実施例８を示す耳カップ２の斜視図である。
【図１２】本発明の実施例８を示すイヤーウォーマー１の正面図（ａ）、背面図（ｂ）断面図（ｃ）である。
【図１３】本発明の実施例９を示す耳カップ２Ｇの斜視図である。
【符号の説明】
【００３８】
１     イヤーウォーマー
２，２Ａ，２Ｂ，２Ｃ，２Ｄ，２Ｅ，２Ｆ，２Ｇ     耳カップ
３，３Ａ，３Ｂ，３Ｃ，３Ｄ，３Ｅ，３Ｆ，３Ｇ     バンド
４，４Ａ，４Ｂ，４Ｃ，４Ｄ，４Ｇ   半円状部分
５，５Ａ，５Ｂ，５Ｃ，５１，５２，５１Ｄ，５２Ｄ，５Ｇ，５Ｆ，５７Ｆ    可動部分
５８  第二可動部分
６，６Ａ      長孔
６０  短孔
７，７Ａ，７Ｂ，７Ｃ，７Ｄ  支点ピン
８，８Ａ，８Ｇ         係合ピン
１１   上生地
１２   下生地
１３   外縁生地
３１，４１    根元部
４２，４２Ｄ  半球状小突起
４３Ｄ 根元部
５３   根元部
５３Ｃ，５３Ｄ       根元部
５９   ピン
【図１】
2008272142.tif 000003
【図２】
2008272142.tif 000004
【図３】
2008272142.tif 000005
【図４】
2008272142.tif 000006
【図５】
2008272142.tif 000007
【図６】
2008272142.tif 000008
【図７】
2008272142.tif 000009
【図８】
2008272142.tif 000010
【図９】
2008272142.tif 000011
【図１０】
2008272142.tif 000012
【図１１】
2008272142.tif 000013
【図１２】
2008272142.tif 000014
【図１３】
2008272142.tif 000015